(57)【要約】  【課題】  互いに直列に接続された複数個の電池と、前記複数個の電池のそれぞれについて正極端子がカソードに、負極端子がアノードになるように並列接続されたダイオードとを備えた電池電源装置において、負荷となる回路の状態によっては、過大なる電流によりダイオードが破壊され、ひいては直列に接続した複数の電池の性能のバラツキ等により、転極の状態が発生し、電池の漏液、破裂が起こる場合がある。  【解決手段】  前記ダイオードの順方向最大定格電流が、前記電池の供給できるダイオードの順方向電位差による電流よりも大きいダイオードであることを特徴とする電池電源装置。【選択図】  図１。
2005190845.tif 000002
【特許請求の範囲】
【請求項１】
互いに直列に接続された複数個の電池と、前記複数個の電池のそれぞれについて正極端子がカソードに、負極端子がアノードになるように並列接続されたダイオードとを備えた電池電源装置において、前記ダイオードの順方向最大定格電流が、前記電池の供給できるダイオードの順方向電位差による電流よりも大きいダイオードであることを特徴とする電池電源装置。
【請求項２】
前記ダイオードの順方向最大定格電流が、前記電池の供給できるダイオードの順方向電位差による電流の少なくとも１．２倍以上であることを特徴とする、請求項１記載の電池電源装置。
【請求項３】
前記電池はボタン電池であることを特徴とする、請求項１又は請求項２記載の電池電源装置。
【請求項４】
前記請求項１〜３の何れかに記載の電池電源装置において、筆記及び／又は塗布及び／又は消去機能を有する機器及び／又は手書き電子入力の機能を有する機器に接続し使用されることを特徴とする電池電源装置。
【発明の詳細な説明】
【技術分野】
【０００１】
本発明は、複数の電池を直列に接続して構成される電池電源装置に関連するものであり、電池の性能のバラツキによる場合や、一部または全部の電池を誤って正極と負極を逆に接続してしまった場合等の機器の損傷や電池の不具合の発生等を防止するための電池電源装置に関する。
【背景技術】
【０００２】
電池を電源として用いる機器は多種多様に渡る。使用者が手に把持して使う機器としては、例えば、筆記する際の照明を意図して光源（ＬＥＤ）を装着した筆記具や、予め筆圧の範囲を設定し複数枚綴りの複写用紙に適切な筆圧で筆記できる様に筆圧を感知するセンサーを設けた筆記具等が知られている。また、実開昭６１−９５５８３公報に記載されている、筆記した時の雑音を電気的に変換し、ランプの点滅、イルミネーションなど光電装置のスイッチやブザー、メロディーなどの音響装置のスイッチとして、又は光電装置、音響装置、電動装置を組み合わせた玩具として利用するものも知られている。
【０００３】
使用者が把持して使う筆記及び／又は塗布及び／又は消去機能を有する機器及び／又は手書き電子入力の機能を有する機器では、使用者が手に持って紙やタブレット等の手書き電子媒体に筆記したり、紙等の媒体へ塗布したり、紙等の媒体に筆記された筆跡やタブレット等の手書き電子媒体上の筆記データを消去したり、使用者の把持具合や使用者が把持して動かした際の座標もしくは移動情報などを検出したりするため、特に小型化が要望される。これらの装置においては、大きさ上の制限により、電池電源装置の装着が機能設計上の大きな障害となる。したがって、一般的に電池としても小型のボタン電池が、複数個直列に接続して使用される。
【０００４】
一方、複数の電池を直列に接続した際、電池の性能のバラツキ、即ち、その電池の内部抵抗や容量の大小によって、直列を構成する一方の電池が他方の電池により強制的に放電され、その放電した電池の正極端子の電圧がマイナスになってしまう電池の転極の状態が発生することが知られている。例えば、新しい電池と古い電池とを混用したり、異なる種類の電池を混用したりする場合には、この転極が発生し易い。この転極が発生した電池では、漏液、発熱、破裂の可能性がある。また、電池交換において、一部の電池を誤って正極と負極を逆に接続しても、この電池の漏液、発熱、破裂の可能性がある。さらに、一部の電池または全部の電池を誤って正極と負極を逆に接続した場合には、機器へ損傷を与える可能性がある。
【０００５】
この問題を解決するために、例えば、特開平８−２４２５４５号公報に記載されているように、乾電池電源装置において、全ての乾電池に正極端子がカソードに、負極端子がアノードになるように、いわゆる逆流阻止用のダイオードを並列接続することが知られていた。
【０００６】
【特許文献１】実開昭６１−９５５８３号公報
【特許文献２】特開平８−２４２５４５号公報
【発明の開示】
【発明が解決しようとする課題】
【０００７】
しかし、この逆流阻止用のダイオードを各々の電池に並列接続しても、負荷となる回路の状態によっては、過大なる電流によりダイオードが破壊され、ひいては直列に接続した複数の電池の性能のバラツキ等により、直列を構成する一方の電池が他方の電池により強制的に放電され、その放電した電池の正極端子の電圧がマイナスになってしまう電池の転極の状態が発生し、電池の漏液、発熱、破裂が起こる場合があるといった問題があった。特に、電池がボタン電池である場合には、その構造的原因により、危険性が高いものである。
【課題を解決するための手段】
【０００８】
本発明は、転極が発生した電池の、漏液、発熱、破裂の可能性の回避と、電池交換における一部の電池を誤って正極と負極を逆に接続した際の、この電池の漏液、発熱、破裂の可能性の回避と、一部の電池または全部の電池を誤って正極と負極を逆に接続したときに機器への損傷を与える可能性の回避とのために、全ての電池に正極端子がカソードに、負極端子がアノードになるようにダイオードを並列接続する際、使用するダイオードの順方向最大定格電流が、電池の供給できるダイオードの順方向電位差による電流よりも大きいダイオードを使用して、電流を流せるようにするものである。
【０００９】
すなわち、互いに直列に接続された複数個の電池と、前記複数個の電池のそれぞれについて正極端子がカソードに、負極端子がアノードになるように並列接続されたダイオードとを備えた電池電源装置において、前記ダイオードの順方向最大定格電流が、前記電池の供給できるダイオードの順方向電位差による電流よりも大きいダイオードであることを特徴とする電池電源装置を第１の要旨とし、前記ダイオードの順方向最大定格電流が、前記電池の供給できるダイオードの順方向電位差による電流の少なくとも１．２倍以上であることを特徴とする電池電源装置を第２の要旨とし、前記電池はボタン電池であることを特徴とする電池電源装置を第３の要旨とし、前記電池電源装置において、筆記及び／又は塗布及び／又は消去機能を有する機器及び／又は手書き電子入力の機能を有する機器に接続し使用されることを特徴とする電池電源装置を第４の要旨とする。
【発明の効果】
【００１０】
本発明に係る電池電源装置は、複数の電池を直列に接続して、電池の性能のバラツキによる場合や、一部または全部の電池を誤って正極と負極を逆に設置してしまった場合等の機器の損傷や電池の不具合の発生等を回避できる。
特に危険性の高いボタン電池を複数個直列に接続し電池電源として、使用者が把持して使う筆記及び／又は塗布及び／又は消去機能を有する機器及び／又は手書き電子入力の機能を有する機器に接続して用いても、電池の性能のバラツキによる場合や、一部または全部の電池を誤って正極と負極を逆に設置してしまった場合等の機器の損傷や電池の不具合の発生等を回避できる。
【発明を実施するための最良の形態】
【００１１】
本発明による電池電源装置の構成は、複数の電池を直列に接続して、複数個の電池のそれぞれについて正極端子がカソードに、負極端子がアノードになるように並列接続されたダイオードからなる。そして、一つの電池を誤って正極と負極を逆に接続したと仮定したときその電池と対になるダイオードの順方向電位差の特性は、電池の単体時の終止電圧未満で順方向電位差が発生するダイオードであることが必要である。また、このときダイオードに流れる電流は、電池の電圧と、電池の終止電圧未満でのダイオードの順方向電位差との差を、電池の内部抵抗で割って得られる電流値の電流であり、この電流値以上の電流に耐え得るダイオードであることが必要である。つまり、ダイオードの順方向最大定格電流が、前記電流値以上であることが必要であり、電池の内部抵抗のバラツキと、ダイオードの寿命と安全性を考慮すると、ダイオードの順方向最大定格電流には、前記電流値の１．２倍以上にすることが必要である。特に、ダイオードの順方向最大定格電流が、前記電流値の１．４倍以上であれば、問題を完全に回避できて好ましい。
【実施例】
【００１２】
以下、本発明を、リラックス感誘導装置を具備した筆記具に接続して用いた実施例によって具体的に説明するが、本発明は電池電源装置を有する広汎な装置に関して適用可能であり、本実施例は本発明の範囲を限定するものではない。
また、本発明は、使用者が把持して使う筆記及び／又は塗布及び／又は消去機能を有する機器及び／又は手書き電子入力の機能を有する機器に接続して用いる電池電源装置として、特に最適である。使用者が把持して筆記するものの例としては、ボールペンやシャープペンシルなどの筆記具、えのぐ、化粧料、接着剤を塗布する塗布具、又消去機能を持つものでは軸筒内から繰り出し可能な消し具等が挙げられる。また、手書き電子入力の機能を有する機器の例としては、座標入・出力ペンなどや光、超音波を利用した筆跡入力装置に使用する手書き電子ペン、コンピュータのマウス、携帯情報端末等が挙げられる。
尚、本発明の電池電源装置は、電池の正極と負極を間違えて逆に挿入することのないように形状等により種々の工夫がなされた電池ボックスと組み合わせて用いられることにより、更にその効果を高めることが出来るものである。
【００１３】
本実施例を、添付図面を参照して説明する。図１は、本実施例による電池電源装置１３とリラックス感誘導装置１４を具備した筆記具からなる模式的回路図であり、図２は、一つの電池を誤って正極と負極を逆に接続した電池電源装置１３とリラックス感誘導装置１４を具備した筆記具からなる模式的回路図である。本実施例になるリラックス感誘導装置１４を具備した筆記具は、所定の振動を発生する部位を持ち、電池電源装置１３を装着して一体となった状態で、使用者が把持して及び／又は身につけて使用可能な外観を持つものが好ましい。ここで使用する電池の種類は、アルカリボタン電池ＬＲ４１という電池を使用する。
【００１４】
まず図１では、電池電源装置１３は、電池７、８、９を直列に接続し、電池７、８、９のそれぞれについて正極端子がカソードに、負極端子がアノードになるように並列接続されたダイオード１０、１１、１２より構成されている。これらのダイオードの順方向最大定格電流は、電池の供給できるダイオードの順方向電位差による電流よりも大きいものである。そして、この電池電源装置１３より、筆記具の形態をなしたリラックス感誘導装置１４に電源供給をする。
ここでリラックス感誘導装置１４を説明すると、ワンチップ・マイクロコントローラ１（以下マイコンと表記する）は、所定の振動パターンを生成して振動モータ３を駆動し、また、所定の表示パターンを生成して抵抗５を介してＬＥＤ６も駆動する。電源スイッチ２は、使用者の操作により、電池電源装置１３からリラックス感誘導装置１４内の各部品への電源供給を制御する。入力スイッチ４は、振動モータ３の振動のパターンとＬＥＤ６の表示パターンとを切り替えるのに使用する。使用者が電源スイッチ２をオンにすることにより、電池電源装置１３からリラックス感誘導装置１４の各部品への電源を供給し、使用者が筆記具の形態をなしたリラックス感誘導装置１４を把持している及び／又は身につけている状態で、使用者に振動モータ３からのリラックス感を与える振動パターンを発生させ、かつ、使用者が筆記具の形態をなしたリラックス感誘導装置１４を目視している状態で、使用者にＬＥＤ６からのリラックス感を与える点灯パターンを発生させる。
【００１５】
ここで図１に使用している電池７、８、９は、アルカリボタン電池ＬＲ４１を使用している。このアルカリボタン電池ＬＲ４１の特性は、正極に二酸化マンガン、負極に亜鉛を用いた１．５Ｖ系の一次電池あり、電解液には水酸化カリウムを用いており、いわゆる水溶液の電池である。そのため充電すると、電池電圧が上昇し水の電気分解が起こり、そのときに発生する水素、酸素によりガスが発生し、電池内圧が上がり破裂に至ることになる。また、アルカリボタン電池ＬＲ４１の終止電圧は１．２Ｖである。
【００１６】
もし、図１に、ダイオード１０、１１、１２が配置されていない場合では、どうだろうか。直列に接続された電池７、８、９に新品のアルカリボタン電池ＬＲ４１を使用しても、容量、内部抵抗のバラツキにより、３個の内の弱い個体（内部抵抗が大きく、容量が小さい）が強い個体にいじめられる形で、３個直列の電圧が０Ｖになるように弱い個体で転極（＋と−が逆転）が発生する。すなわち、充電状態と同じ状態が発生する。そして、そのとき強い２個の電池の電圧がそれぞれ１．５Ｖであると、弱い電池は最大−３Ｖまで低下するので、この状態で電池内部にガスが発生し破裂に至ることになる。ここで電池内部にガスが発生する条件としては、電池の電圧が、−１．２３Ｖ以下になるときである。
【００１７】
この転極を防ぐため、直列に接続された電池７、８、９にそれぞれについて正極端子がカソードに、負極端子がアノードになるように並列接続されたダイオード１０、１１、１２が配置され、これらのダイオードによって、電池電圧がマイナスになることを防ぎ、即ち転極を防止することができる。
【００１８】
図２では、図１の構成における電池電源装置１３に配置されている電池８を誤って正極と負極とを逆に接続した図であり、電池８を逆に接続した電池を電池８２としている。この場合、ダイオード１１によって電池８２の電流が消耗され、且つダイオード１１の順方向最大定格電流は、電池８２の供給できるダイオードの順方向電位差による電流よりも大きいものであるため、ダイオードが破壊されることもなく、電池内部にガスが発生してフクレたり破裂することもなかった。
もし、図２の電池電源装置１３に、ダイオード１０、１１、１２が、配置されていない場合、電池８２には、電池７と電池９の電圧がそれぞれ１．５Ｖであると、最大−３Ｖまで低下するので、この状態で電池内部にガスが発生し破裂に至ることになる。
【００１９】
ここでアルカリボタン電池ＬＲ４１の内部抵抗を１００個サンプリングして計測した。計測方法としては、まず、単体でのアルカリボタン電池ＬＲ４１の電圧値を電圧計で計測する。次に、抵抗値が既知の抵抗器とアルカリボタン電池ＬＲ４１を単体で接続し、その抵抗に流れる電流値を電流計にて計測し、かつ、アルカリボタン電池ＬＲ４１の電圧値を電圧計にて計測する。そして、この計測した結果より、アルカリボタン電池ＬＲ４１の単体での電圧値より、抵抗器を接続したときのアルカリボタン電池ＬＲ４１の電圧値を引き、この引いた結果を電流計で計測した電流値にて割ることによりアルカリボタン電池ＬＲ４１の内部抵抗が算出できる。この計測方法を採用して、アルカリボタン電池ＬＲ４１を１００個サンプリングした結果、最小５．８Ω、最大８．１Ω、平均６．７３Ωというアルカリボタン電池ＬＲ４１の内部抵抗の値を得た。
【００２０】
そして、計測したアルカリボタン電池ＬＲ４１の内部抵抗値の値をもとに、アルカリボタン電池ＬＲ４１にあった条件のダイオード１０、１１、１２を検討してみる。図３のように、図１より転極になった１組のアルカリボタン電池ＬＲ４１とダイオードと取り出し、その等価回路となるように、アルカリボタン電池ＬＲ４１の正極端子にダイオードのアノードを、負極端子にダイオードのカソードを接続した場合を想定してみた。
ここで、アルカリボタン電池ＬＲ４１の単体での出力電圧は、１．５Ｖであり、終止電圧は、１．２Ｖであることが、知られている。このことより、ダイオードの順方向電位差の特性は、電池の単体時の終止電圧未満で順方向電位差が発生するダイオードであることが必要である。そのため、０．８Ｖで順方向電位差が発生するダイオードを仮定し、また、アルカリボタン電池ＬＲ４１から、１．５Ｖを出力すると仮定する。その結果、アルカリボタン電池ＬＲ４１の内部抵抗にかかる電圧値は、アルカリボタン電池ＬＲ４１の出力電圧値１．５Ｖよりダイオードの順方向電位差０．８Ｖを引いた値０．７Ｖが得られる。これより内部抵抗に流れる電流値は、アルカリボタン電池ＬＲ４１の内部抵抗にかかる電圧値０．７Ｖを、計測した内部抵抗値の平均値６．７３Ωで割ると、０．１０４Ａの電流がダイオードに流れる。同様に、計測したアルカリボタン電池ＬＲ４１の内部抵抗値の最小５．８Ω、最大８．１Ωのときに、最大０．１２１Ａ、最小０．０８６Ａの電流がダイオードに流れる。すなわち、アルカリボタン電池ＬＲ４１の内部抵抗が平均値６．７３Ωのときにダイオードに流れる電流０．１０４Ａと、内部抵抗が最小５．８Ωのときにダイオードに流れる最大電流０．１２１Ａを比較すると１．１６倍の電流が流れる。これらのことより、ダイオードの寿命と安全性を考慮すると、ダイオードの順方向最大定格電流は、アルカリボタン電池ＬＲ４１の内部抵抗値の平均値６．７３Ωのときの電流値の１．２倍以上が必要であり、このことよりダイオードの順方向最大定格電流０．１２５Ａ以上が必要になる。
【００２１】
以上より、アルカリボタン電池ＬＲ４１にあった条件のダイオード１０、１１、１２の順方向最大定格電流は、アルカリボタン電池ＬＲ４１が供給できるダイオードの順方向電位差による電流の少なくとも１．２倍以上が必要となる。
【図面の簡単な説明】
【００２２】
【図１】電池電源装置とリラックス感誘導装置を具備した筆記具からなる模式的回路図
【図２】一つの電池を誤って正極と負極を逆に接続した電池電源装置とリラックス感誘導装置からなる模式的回路図
【図３】図１より転極になった１組のアルカリボタン電池ＬＲ４１とダイオードの等価回路
【符号の説明】
【００２３】
１    マイコン
２    電源スイッチ
３    振動モータ
４    入力スイッチ
５    抵抗
６    ＬＥＤ
７、８、９、１５、８２    電池
１０、１１、１２、１６  ダイオード
１３  電池電源装置
１４  リラックス感誘導装置
【図１】
2005190845.tif 000003
【図２】
2005190845.tif 000004
【図３】
2005190845.tif 000005